(57)【特許請求の範囲】
【請求項１】
折り曲げ部を介して天面内フラップと折り曲げ部を介して底面内閉鎖板が連設されている一対の端板と、折り曲げ部を介して天面外フラップと折り曲げ部を介して底面外閉鎖板が連設されている一対の側板とを有し、
一対の側板と両天面外フラップ間には、両側板の上端側領域内の２点から両天面外フラップの領域内の２点に至る平行な２本の切目線に挟まれた帯状の突起部形成部であって、両側板とそれらの天面外フラップとを区分している折り曲げ部を有しておらず、天面外フラップ側領域内の前記２本の切目線間に該切目線と直交する方向に形成されている折り曲げ部を有していて、該両切目線に直交する折り曲げ部を頂点として天面外フラップ面から上方に立ち上がる突起部Ｂを形成する突起部形成部を少なくとも１箇所ずつ形成されており、
前記両底面外閉鎖板内には、側板との間の折り曲げ部の近傍領域内に、他の同型の矩形段ボール箱の天面における突起形成部によって形成される突起部Ｂと嵌合する切欠き部よりなる嵌合凹部が形成されていることを特徴とする段ボール箱。
【請求項２】
前記２本の平行な切目線は、前記両側板と両天面外フラップを区分している折り曲げ部より両側板側の領域内の２点までの切目線部分の長さより、折り曲げ部より両天面外フラップ領域内の２点までの切目線部分の長さの方が長く設定されていることを特徴とする請求項１に記載の段ボール箱。
【請求項３】
前記２本の平行な切目線は、前記両側板と両天面外フラップとを区分している折り曲げ部より両側板側の領域内の２点までの切目線部分の長さより、折り曲げ部より両天面外フラップ領域内の２点までの切目線部分の長さの方が２倍以上長く設定されていることを特徴とする請求項１又は２に記載の段ボール箱。
【請求項４】
前記両天面外フラップ側の領域内における２本の平行な切目線の両端部の２点間を結んで折り曲げ線が形成されていることを特徴とする請求項１〜３のいずれか１項に記載の段ボール箱。
【請求項５】
前記突起部は、両側板と両天面外フラップを区分する折り曲げ部から両天面外フラップを天面に折り曲げた際に、前記突起形成部が前記２本の切目線と直交する方向の折り曲げ部を頂部として山形に天面外フラップ面から突出する突起部であることを特徴とする請求項１〜４のいずれか１項に記載の段ボール箱。
【発明の詳細な説明】
【技術分野】
【０００１】
本発明は、商品を収容した状態で多段に積み重ねて運搬しても荷崩れを起こすことがないスタッキング用段ボール箱に関する。特に本発明は、一枚の段ボールシートの打ち抜きブランクより段ボール箱を組み立てて商品を収容し封緘する作業によって同時にスタッキング用突起部を形成できる段ボール箱に関する。
【背景技術】
【０００２】
矩形段ボール箱に商品を収容した状態で多数段積みして保管、運搬する際に、段積み段ボール箱の荷崩れを防止するために、段積み状態の上下の段ボール箱の天面と底面の相対する箇所に設けられている凹凸部を嵌合させて下方段ボール箱の天面と上方段ボール箱の底面間の滑りを防止する形式のスタッキング機能を有する段ボール箱として種々の構造の突起部を有する段ボール箱が提案されている。
【０００３】
たとえば、特許文献１には、段ボール製の矩形ケースの上部面上に、ケースの側面や上部面に形成した舌片部分を折り重ねて突出部分を形成し、底面には、該上部面上に積み重ねられる他の矩形ケースの上部面上の舌片部分に対応するくり抜き部又は切込み部を設けた段ボールケースが記載されており、特許文献２には、包装箱の天面の外フラップの先端から張り出して一体的に形成されている突部形成片と、該凸部形成片を挿入して掛け止めする係止穴を同じ天面内に形成し、該突部形成片を先端から天面上に折り返して係止穴に挿入して掛け止めして天面上に掛け止め突部を形成し、底面には、他の包装箱の天面の掛け止め突部が嵌まり込む嵌合部を設けた包装箱が記載されている。
【０００４】
また、特許文献３には、段ボール箱本体の端壁の上辺に連設されている天面内フラップ基端部を切り込んで係合片を形成し、該係合片を天面外フラップ面に折り重ね固着すると共に、下方（底面）の外フラップを切り欠いて係合凹部を形成した積みずれ防止箱が記載されており、特許文献４には、段ボール箱の天面外フラップ上に突出する凸部がプレス処理により形成され、底面外フラップにはプレス処理により他の段ボール箱の天面外フラップ上の係合凸部が嵌まり込む凹部が形成されている段ボール箱が記載されている。
【０００５】
上記特許文献１〜３に記載されている段ボール箱におけるスタッキング用の突部は、いずれも段ボール箱の天面に折り重ねられる舌片状部分によって形成されているものであるので、その突出部の高さは段ボールシートの厚さと同一であり、該突部を嵌め込む底面側の凹部の深さも段ボールシートの厚さと同一であるので、商品を収容した状態で突き重ねられた上下の段ボール箱の天面と底面のいずれかが変形して天面と底面の密着状態が崩れるとスタッキング機能が損なわれることが懸念されるものであるし、該スタッキング用と突部の形成するために、該突部を形成する舌片状部分を引き起こして天面上に接着固定するような作業が必要となるものである。
【０００６】
また、特許文献４の段ボール箱の場合も、段ボール箱の天面外フラップ上にプレス加工で形成されている凸部の高さと底面外フラップにプレス加工で形成されている凹部の深さには限界があり、商品を収容した状態で突き重ねられた上下の段ボール箱の天面と底面のいずれかが変形して天面と底面の密着状態が崩れるとスタッキング機能が損なわれることが懸念されるものである。
【０００７】
特許文献５には、天面開放型の１ピース型中吊り包装箱の額縁状に形成した２重側壁の縁板部上に直立するスタッキング用の嵌合突起を形成し、さらに底板の左右の端部に該嵌合突起に対応する係止用穴を形成した包装箱が記載されている。この包装箱におけるスタッキング用構造部は、天面開放のトレーの２重側壁の縁板部上にコ字状に直立する突起片を、段積みされる上方のトレーの底板の２重側壁下部に当接する箇所に該コ字状突起片と嵌合するように形成されている係止用孔から２重側壁内に深く差し込んで係止する形式のスタッキング構造であるので、天面フラップを有するＡ式の段ボール箱のスタッキング構造としてそのまま採用することはできない。
【先行技術文献】
【特許文献】
【０００８】
【特許文献１】特許第３８９００８４号公報
【特許文献２】特許第４３４６３０５号公報
【特許文献３】特開２０１１−１４３９６６号公報
【特許文献４】特開２００５−１３２４０７号公報
【特許文献５】実用新案登録第３１６０３６４号公報
【発明の概要】
【発明が解決しようとする課題】
【０００９】
本発明は、商品を収容して封緘した状態の段ボール箱を段積みして保管したり、段積みして運搬する際に上下の段ボール箱の底面の凹部と天面の凸部を嵌合させる形式の段ボール箱において、段積みした状態での運搬中に上下の段ボール箱の底面の凹部と天面の凸部の間に隙間が生じるような衝撃が段積み段ボール箱に加わった場合にも底面凹部との嵌合状態を維持できる天面突起部を有する段積み用の段ボール箱を提供することを目的とするものである。
【課題を解決するための手段】
【００１０】
本発明の段ボール箱は、一般的な矩形段ボール箱において、相対する一対の側板の上端側の領域内から、上端折り曲げ部を経て、該両側板に折り曲げ部を介して連設されている天面フラップの該折り曲げ部側の領域内まで延びる、該折り曲げ部に直交する２本の平行な直線状の切目線に挟まれた板状部よりなる突起形成部を有することを特徴とする以下の発明を包含する。
【００１１】
（１）折り曲げ部（Ｌ６，Ｌ８）を介して天面内フラップ（２ａ、４ａ）と折り曲げ部（Ｌ１０、Ｌ１２）を介して底面内閉鎖板（２ｂ，４ｂ）が連設されている一対の端板（２，４）と、折り曲げ部（Ｌ５、Ｌ７）を介して天面外フラップ（１ａ，３ａ）と折り曲げ部（Ｌ９、Ｌ１１）を介して底面外閉鎖板（１ｂ，３ｂ）が連設されている一対の側板（１，３）とを有し、
一対の側板（１，３）と両天面外フラップ（１ａ，３ａ）間には、両側板（１，３）の上端側領域内の２点（ｐ１、ｐ１）から両天面外フラップ（１ａ，３ａ）の領域内の２点（ｐ２，ｐ２）に至る平行な２本の切目線（Ｚ、Ｚ）に挟まれた帯状の突起部形成部（１ｃ、３ｃ）であって、両側板（１，３）とそれらの天面外フラップ（１ａ、３ａ）とを区分している折り曲げ部（Ｌ５，Ｌ７）を有しておらず、天面外フラップ（１ａ，３ａ）側領域内の前記２本の切目線（ｚ，ｚ）間に該切目線と直交する方向に形成されている折り曲げ部（Ｌ１３）を有していて、該両切目線に直交する折り曲げ部（Ｌ１３）を頂点として天面外フラップ（１ａ，３ａ）面から上方に立ち上がる突起部Ｂを形成する突起部形成部（１ｃ、３ｃ）を少なくとも１箇所ずつ形成されており、
前記両底面外閉鎖板（１ｂ、３ｂ）内には、側板（１，３）との間の折り曲げ部（Ｌ９，Ｌ１１）の近傍領域内に、他の同型の矩形段ボール箱の天面における突起形成部によって形成される突起部Ｂと嵌合する切欠き部よりなる嵌合凹部（１ｄ、３ｄ）が形成されていることを特徴とする段ボール箱。
【００１２】
（２）前記２本の平行な切目線（ｚ，ｚは、前記両側板（１，３）と両天面外フラップ（１ａ，３ａ）を区分している折り曲げ部（Ｌ５，Ｌ７）より両側板側（１，３）の領域内の２点（ｐ１，ｐ１）までの切目線部分の長さより、折り曲げ部（Ｌ５，Ｌ７）より両天面外フラップ（１ａ，３ａ）領域内の２点（ｐ２，ｐ２）までの切目線部分の長さの方が長く設定されていることを特徴とする（１）項に記載の段ボール箱。
【００１３】
（３）前記２本の平行な切目線（ｚ，ｚ）は、前記両側板（１，３）と両天面外フラップ（１ａ，３ａ）を区分している折り曲げ部（Ｌ５，Ｌ７）より両側板（１，３）側の領域内の２点（ｐ１，ｐ１）までの切目線部分の長さより、折り曲げ部（Ｌ５，Ｌ７）より両天面外フラップ（１ａ，３ａ）領域内の２点（ｐ２，ｐ２）までの切目線部分の長さの方が２倍以上長く設定されていることを特徴とする（１）項又は（２）項に記載の段ボール箱。
【００１４】
（４）前記両天面外フラップ（１ａ，３ａ）側の領域内における２本の平行な切目線（ｚ，ｚ）の両端部の２点（ｐ２、ｐ２）間を結んで折り曲げ線（Ｌ４）が形成されていることを特徴とする（１）項〜（３）項のいずれか１項に記載の段ボール箱。
【００１５】
（５）前記突起部Ｂは、両側板（１，３）と両天面外フラップ（１ａ，３ａ）を区分する折り曲げ部（Ｌ５，Ｌ７）から両天面外フラップ（１ａ，３ａ）を天面に折り曲げた際に、前記突起形成部（１ｃ，３ｃ）が前記２本の切目線（ｚ，ｚ）と直交する方向の折り曲げ部（Ｌ１３）を頂部として山形に天面外フラップ（１ａ，３ａ）面から突出する突起部であることを特徴とする（１）項〜（４）項のいずれか１項に記載の段ボール箱。
【発明の効果】
【００１６】
本発明の段積み用段ボール箱は、スタッキング用突起部を側板部分と天面外フラップ部分とによって形成できるので、たとえば、一般的な矩形段ボール箱であれば、通常幅の段ボール原反によって製造することができる。
【００１７】
また、スタッキング用突起部は、両側板と天面外フラップを区分する折り曲げ部から天面外フラップを天面に折り曲げて天面を閉鎖する作業時に自動的に天面外フラップ面側に立ち上がるので、スタッキング用突起部を形成するための作業が不要である。
【００１８】
さらに、天面外フラップ面上に立ち上がったスタッキング用突起部は、その上に積み重ねられる他の段ボール箱の底面閉鎖板に形成されている凹部の深さ、すなわち、段ボール原反の厚さよりも高く立ち上がるので、底面閉鎖板の凹部と嵌合した状態では山形の頂部が押し潰されて突起部の側板側が外側に膨れた状態に変形するが、側板側の突起部内には折り曲げ部がないために、撓んだ状態の側板側に弾性的な復元力が生じて、積み重ねられた段ボール箱の底面が天面から浮き上がった状態となって押し潰し圧力が開放されるに伴って山形の頂部が上方に立ち上がるため、底面の凹部との嵌合状態が外れることが防止される、という効果を奏する。
【図面の簡単な説明】
【００１９】
【図１】本発明の段積み用段ボール箱の展開図（ブランクシート図）である。
【図２】本発明の段積み用段ボール箱の組み立て完成時の斜視図である。
【図３】本発明の段積み用段ボール箱を段積みする場合の状態を示す図である。
【発明を実施するための形態】
【００２０】
本発明の段積み用段ボール箱の具体的な内容を添付の図面を参照して説明する。
図１は、本発明の一実施例としてのＡ式段ボール箱のブランクシートＡである。図１に示すように、本発明の段積み用段ボール箱は、一対の側板１，３と一対の端板２，４と綴じ代５とが折り曲げ部Ｌ１〜Ｌ４を介して連設されている。
【００２１】
側板１には、折り曲げ部Ｌ５を介して天面外フラップ１ａが連設され、折り曲げ部Ｌ９を介して底面外閉鎖板１ｂが連設されており、側板３には、折り曲げ部Ｌ７を介して天面外フラップ３ａが連設され、折り曲げ部Ｌ１１を介して底面外閉鎖板３ｂが連設されている。
また、端板２には、折り曲げ部Ｌ６を介して天面内フラップ２ａが連設され、折り曲げ部Ｌ１０を介して底面内閉鎖板２ｂが連設されており、端板４には、折り曲げ部Ｌ８を介して天面内フラップ４ａが連設され、折り曲げ部Ｌ１２を介して底面内閉鎖板４ｂが連設されている。
【００２２】
側板１と天面外フラップ１ａには、側板１の天面外フラップ１ａとの境界である折り曲げ部Ｌ５の近傍における側板１側の領域内の２点（ｐ１，ｐ１）から、天面外フラップ１ａ内の２点（ｐ２，ｐ２）に至る平行な２本の切目線（ｚ，ｚ）が形成されていて、該２本の切目線間に挟まれた帯状部からなる突起部形成部１ｃが２箇所形成されている。
同様に、側板３と天面外フラップ３ａには、側板３の天面外フラップ３ａとの境界である折り曲げ部Ｌ７の近傍における側板３側の領域内の２点（ｐ１，ｐ１）から、天面外フラップ３ａ内の２点（ｐ２，ｐ２）に至る平行な２本の切目線（ｚ，ｚ）が形成されていて、該２本の切目線間に挟まれた帯状部からなる突起部形成部３ｃが２箇所形成されている。
【００２３】
上記突起部形成部１ｃ内には、側板１と天面外フラップ１ａを区分している折り曲げ部Ｌ５は形成されておらず、天面外フラップ１ａ側における２本の切目線間に挟まれた帯状部に、該２本の平行な切目線（ｚ，ｚ）と直交する方向に折り曲げ部Ｌ１３が形成されており、天面外フラップ１ａ内の２本の切目線（ｚ，ｚ）の端部Ｐ２，Ｐ２間には折り曲げ部Ｌ１４が形成されている。
同様に、突起部形成部３ｃ内には、側板３と天面外フラップ３ａを区分している折り曲げ部Ｌ７は形成されておらず、天面外フラップ３ａ側における２本の切目線間に挟まれた帯状部に、該２本の平行な切目線（ｚ，ｚ）と直交する方向に折り曲げ部Ｌ１３が形成されており、天面外フラップ３ａ内の２本の切目線（ｚ，ｚ）の端部ｐ２，ｐ２間には折り曲げ部Ｌ１４が形成されている。
【００２４】
上記突起部形成部１ｃにおける折り曲げ部Ｌ１３は、２本の切目線（ｚ，ｚ）の全長さ（ｐ１−ｐ２）の中間部よりも天面外フラップ１ａ側の領域内において突起部形成部１ｃ内に形成されていることが好ましく、２本の切目線（ｚ，ｚ）の全長さ（ｐ１−ｐ２）を３等分した場合の天面外フラップ（１ａ）内の端部（ｐ２）側の位置において切目線ｚ，ｚ間に設けられていることが好ましい。
同様に、突起部形成部３ｃにおける折り曲げ部Ｌ１３は、２本の切目線（ｚ，ｚ）の全長さ（ｐ１−ｐ２）の中間部よりも天面外フラップ１ａ側の領域内において突起部形成部３ｃ内に形成されていることが好ましく、２本の切目線（ｚ，ｚ）の全長さ（ｐ１−ｐ２）を３等分した場合の天面外フラップ（３ａ）内の端部（ｐ２）側の位置において切目線Ｚ，Ｚ間に設けられていることが好ましい。
【００２５】
上記のように、突起部形成部１ｃ内及び突起部形成部３ｃ内の双方に形成される折り曲げ部Ｌ１３の位置を天面外フラップ側の突起部形成部内とすることによって、図２及び図３に示されているように、天面外フラップを側板との間の折り曲げ線から天面側に折り曲げて天面を閉鎖する作業時に、同時且つ自動的に突起部形成部１ｃ、３ｃが上記折り曲げ部Ｌ１３において上方に折れ曲がって形成される山形の突起部Ｂの頂点となる該折り曲げ部Ｌ１３部分を確実に天面外フラップ面上に位置させることができ、スタッキング用の突起部Ｂを天面外フラップ１ａ，３ａの各面上に形成することができる。
【００２６】
また、上記突起部形成部１ｃ、３ｃ内に形成する折り曲げ部Ｌ１３を天面外フラップ側の突起部形成部内の位置とすることによって、突起部形成部１ｃ、３ｃが上記折り曲げ部Ｌ１３において上方に折れ曲がって形成される山形の突起部Ｂの高さを、該突起部Ｂが嵌合する同型の他の段積み用段ボール箱の底面の底面外閉鎖板を切り欠いて形成されている嵌合凹部（１ｄ、３ｄ）の深さ、すなわち、段ボール原反の厚さ、よりも大きくなるように設定することができる。
【００２７】
このような大きな高さの突起部Ｂを有する天面に他の同型の段積み用段ボール箱を図３に示すように段積みして、天面の突起部Ｂを他の段ボール箱の底面の嵌合凹部に嵌合させた場合、図示されていないが、突起部Ｂは段積みされる上部段ボール箱の底面の嵌合凹部（１ｄ、３ｄ）の内面に頂部が当接して全体が押し潰されることとなり、頂部となっている折り曲げ部Ｌ１３から側板１，３側の面が外側に膨れるように変形する。このように突起部Ｂが嵌合凹部（１ｄ、３ｄ）と嵌合すると突起部Ｂと嵌合凹部（１ｄ、３ｄ）の内面との間が滑りにくくなって嵌合状態が外れ難くなる。
【００２８】
また、段積み状態で運搬されている途中等において、上下の段ボール間に隙間が生じるような衝撃が加わった場合であっても、折り曲げ部Ｌ１３から側板１，３側の面が外側に膨れるように変形している状態の突起部Ｂは、側板１，３側の突起部内に折り曲げ部がないために、頂部にかかる圧力が弱まるにつれて側板１，３側の膨れ状態が弾性的に復元するので、突起部Ｂの頂部は上側の段ボールの底面の嵌合凹部の内面から離れることがなく、したがって、元の突起部Ｂの高さを大きく超えるような隙間が上下の段ボール間に発生しない限りスタッキング機能が損なわれることはない。
【００２９】
前記したように、突起部形成部１ｃ内には、側板１と天面外フラップ１ａを区分している折り曲げ部Ｌ５は形成されておらず、天面外フラップ１ａ側における２本の切目線間に挟まれた帯状部に、該２本の平行な切目線（ｚ，ｚ）と直交する方向に折り曲げ部Ｌ１３が形成されており、天面外フラップ１ａ内の２本の切目線（ｚ，ｚ）の端部Ｐ２，Ｐ２間には折り曲げ部Ｌ１４が形成されている。同様に、突起部形成部３ｃ内にも、側板３と天面外フラップ３ａを区分している折り曲げ部Ｌ７は形成されておらず、天面外フラップ３ａ側における２本の切目線間に挟まれた帯状部に、該２本の平行な切目線（ｚ，ｚ）と直交する方向に折り曲げ部Ｌ１３が形成されており、天面外フラップ３ａ内の２本の切目線（ｚ，ｚ）の端部Ｐ２，Ｐ２間には折り曲げ部Ｌ１４が形成されている。
【００３０】
突起部形成部１ｃ、３ｃ上記のように側板１，３内から天面外フラップ１ａ，３ａ内にかけて形成されていることによって、段ボール箱の組み立て時に、天面外フラップ１ａ，３ａを天面内フラップ２ａ，４ａ面に折り重ねて天面を閉鎖する作業を行うと、突起部形成部１ｃ、３ｃは、側板１、３側に折り曲げ部が設けられていないために、折り曲げ部Ｌ１３において折れ曲がって上方に押し上げられた状態となり、突起部Ｂが自動的に形成されることとなる。
【００３１】
図１のブランクシートから本発明のスタッキング用段ボール箱を組み立てる作業工程は、通常のＡ式段ボール箱の組立作業と同様である。すなわち、折り曲げ部Ｌ１〜Ｌ５において側板１、端板２、側板３、端板４を同一方向に折り曲げ、側板１の側縁部の綴じ代５を相対する端板４の側縁部に接合して筒状胴部を形成し、次いで、端板２，４の底面内閉鎖板２ｂ，４ｂと側板１，３の底面外閉鎖板１ｂ、３ｂを折り重ね、接合して底面を閉鎖する。
商品を収容したのち、天面内フラップ２ａ，４ａ面に天面外フラップ１ａ，３ａを折り重ね、接合して天面外フラップ１ａ，３ａ上に自動的に突起部Ｂが立ち上がっている図２に示す状態の商品収容段ボール箱とする。
【００３２】
本発明の段積み用段ボール箱を段積み状態で運搬する場合、図３に示すように、下側の段ボール箱の天面から上方に立ち上がっている突起部Ｂと、上側の段ボール箱の底面に形成されている凹部１ｄ、３ｄとを嵌合させた状態で複数段積み重ねられる。このように積み重ねられている段ボール箱は、上側の段ボール箱の重みで上下の段ボール箱の底面と天面の係合状態が維持されることとなる。
【符号の説明】
【００３３】
１，３：側板
１ａ，３ａ：天面外フラップ
１ｂ，３ｂ：底面外閉鎖板
１ｃ，３ｃ：突起部形成部
１ｄ，３ｄ：嵌合凹部
２，４：端板
２ａ，４ａ：天面内フラップ
２ｂ，４ｂ：底面内閉鎖板
Ｌ１〜Ｌ１４：折り曲げ部
ｐ１，ｐ２：切目線端部の２点
ｚ：切目線
Ａ：ブランク（スタッキング用段ボール箱）
Ｂ：突起部
【図１】
0005845981.tif 000002
【図２】
0005845981.tif 000003
【図３】
0005845981.tif 000004